(57)【要約】【課題】首の締め付け感を緩和し、首枠の位置ずれを防ぎ、好みに応じて別の装飾体に交換可能な装身具用の装飾体保持具を提供する。【解決手段】弾性を有する首枠１３が自己のばね力によって首１１に掛止される。このとき、首枠１３の内周部に緩衝部材１４が貼着されている。そのため、使用中の首１１の締め付け感が緩和される。しかも、首枠１３が首１１にフィットして緩衝部材１４が滑り止めとなり、首１１を動かしても首枠１３が位置ずれしにくい。さらに、装飾体１２を好みに応じて別の装飾体に交換できる。【選択図】　　　　図１
2004129728.tif 000002
【特許請求の範囲】
【請求項１】
首に掛止され、装飾体が着脱自在に取り付けられる首枠を備えた装身具用の装飾体保持具であって、
前記首枠は弾性を有し、少なくとも内周部に緩衝部材が設けられた装身具用の装飾体保持具。
【請求項２】
前記首枠には、前記首の周辺から離れた位置に装飾体を配置する分岐枠が突設された請求項１に記載の装身具用の装飾体保持具。
【請求項３】
前記分岐枠には、該分岐枠を身体の一部およびまたは衣服の一部に補助的に掛止する掛止補助部材が取り付けられた請求項２に記載の装身具用の装飾体保持具。
【請求項４】
首に掛止され、装飾体が着脱自在に取り付けられる首枠を備えた装身具用の装飾体保持具であって、
前記首枠は弾性または可撓性を有し、少なくとも内周部に緩衝部材が設けられるとともに、前記首枠の両端部を連結部材により着脱自在に連結することで、首に巻き付け状態で掛止される装身具用の装飾体保持具。
【請求項５】
前記首枠には、前記首の周辺から離れた位置に装飾体を配置する分岐枠が突設された請求項４に記載の装身具用の装飾体保持具。
【請求項６】
前記分岐枠には、該分岐枠を身体の一部およびまたは衣服の一部に補助的に掛止する掛止補助部材が取り付けられた請求項５に記載の装身具用の装飾体保持具。
【発明の詳細な説明】
【０００１】
【発明の属する技術分野】
この発明は装身具用の装飾体保持具、詳しくは使用者の首に装飾体を装着する装身具用の装飾体保持具に関する。
【０００２】
【従来の技術】
首に装着される装身具用の装飾体保持具として、例えば登録実用新案第３０３２５０６号公報の「首飾り」が知られている。
この首飾りは、弾性を有する芯材と、芯材に固着された装飾体（例えば数珠つなぎのビー玉）とを備え、弾性変形することで使用者の首に係止するように構成されている。
【０００３】
【発明が解決しようとする課題】
しかしながら、この従来の首飾りにあっては、以下に示す問題点があった。
すなわち、芯材が首に直接係止されるか、ビー玉のような剛体の装飾体を介して首に係止されていた。そのため、使用中は首の締め付け感が大きかった。そこで、芯材の弾性力を弱めることが考えられる。ところが、これでは首を動かしたり汗をかいた場合に、首飾りがずれ落ちやすかった。
また、装飾体は芯材に固着されていた。そのため、既製の装飾体ではない装飾体、例えばオリジナルな装飾体により首を装飾することはできなかった。
【０００４】
そこで、発明者は、鋭意研究の結果、首に掛止され、装飾体が着脱自在に取り付けられる首枠を備え、この首枠を弾性部材により形成し、その少なくとも内周部に緩衝部材を設けるようにするか、首枠を弾性部材または可撓性部材により形成し、少なくとも内周部に緩衝部材を設けるとともに、首枠の両端部を連結部材により着脱自在に連結するようにすれば、大きさや重さに規制されない好みの装飾体を、使用中にずれ落ちることなく首に装着することができることを知見し、この発明を完成させた。
【０００５】
【発明の目的】
この発明は、使用中の首の締め付け感を緩和することができ、しかも、首枠が位置ずれしにくく、さらには好みに応じて別の装飾体に交換することができる装身具用の装飾体保持具を提供することを、その目的としている。
また、この発明は、首の周辺から離れた位置に装飾体を配置することができる装身具用の装飾体保持具を提供することを、その目的としている。
さらに、この発明は、大型の装飾体であっても、首の周辺から離れた位置にしっかりと固定することができる装身具用の装飾体保持具を提供することを、その目的としている。
【０００６】
【課題を解決するための手段】
請求項１に記載の発明は、首に掛止され、装飾体が着脱自在に取り付けられる首枠を備えた装身具用の装飾体保持具であって、前記首枠は弾性を有し、少なくとも内周部に緩衝部材が設けられた装身具用の装飾体保持具である。
装飾体の素材、形状、大きさなどは限定されない。例えば、チェーン，装飾紐，耳カバー，小鳥の模型，美術品，工芸品，ちょうちんなどを採用することができる。
【０００７】
装飾体は、首枠に直接取り付けてもよい。または、首枠から分岐された分岐枠により間接的に取り付けてもよい。
また、装飾体は、使用者の前方に向けてもよいし、後方に向けてもよい。さらには、使用者の上方または下方に向けてもよい。その他、装飾体を、使用者の側方に向けてもよい。
装飾体の首枠に対する掛止構造は限定されない。例えば、雄掛止部と雌掛止部とを有する掛止構造でもよい。
首枠にばね力を付与する方法としては、例えば首枠自体をばね材で設ける方法、首枠にばね材を取り付ける方法などを採用することができる。ばね材としては、例えばコイルばね，線状のばねなどの一般的なばね材が挙げられる。その他、ゴムや弾性を有する各種の軟質合成樹脂などでもよい。要は、そのばね力により掛止できればよい。
緩衝部材の種類は限定されない。例えば、ゴム、各種の軟質合成樹脂（軟質ピリプロピレン，軟質ポリエチレンなど）を採用することができる。軟質合成樹脂には、発泡質の合成樹脂を含む。
緩衝部材は、例えば首枠の内周部だけに設けてもよい。その他、首枠の全体に設けてもよい。
【０００８】
請求項２に記載の発明は、前記首枠には、前記首の周辺から離れた位置に装飾体を配置する分岐枠が突設された請求項１に記載の装身具用の装飾体保持具である。
分岐枠は、首枠と一体的に形成してもよい。または別体で形成してもよい。分岐枠の素材は限定されない。首枠と同じ素材（例えば合成樹脂，金属）でも別の素材でもよい。分岐枠の長さ、太さなどは限定されない。
【０００９】
請求項３に記載の発明は、前記分岐枠には、該分岐枠を身体の一部およびまたは衣服の一部に補助的に掛止する掛止補助部材が取り付けられた請求項２に記載の装身具用の装飾体保持具である。
掛止補助部材は身体の一部に掛止してもよい。または衣服の一部に掛止してもよい。さらには、身体の一部と衣服の一部とにそれぞれ掛止してもよい。
身体の一部としては、例えば肩、腕、頭、耳、首、胸、背中などが挙げられる。
衣服の一部としては、例えば上着の身ごろなどが挙げられる。
掛止補助部材の素材、形状、大きさなどは限定されない。
掛止補助部材は、装飾体と一体的に形成してもよい。または別体で形成してもよい。掛止補助部材は、この分岐枠を介して首枠に連結される。
【００１０】
請求項４に記載の発明は、首に掛止され、装飾体が着脱自在に取り付けられる首枠を備えた装身具用の装飾体保持具であって、前記首枠は弾性または可撓性を有し、少なくとも内周部に緩衝部材が設けられるとともに、前記首枠の両端部を連結部材により着脱自在に連結することで、首に巻き付け状態で掛止される装身具用の装飾体保持具である。
ここでいう首枠としては、例えばばね力により首に掛止される弾性部材からなるものを採用することができる。その他、可撓性を有する部材からなるものでもよい。
連結部材の素材、形状、大きさなどは限定されない。例えば、各種の合成樹脂製の連結ボール，任意形状を有する合成樹脂製の連結ブロックなどを採用することができる。また、弾性体でもよい。
【００１１】
請求項５に記載の発明は、前記首枠には、前記首の周辺から離れた位置に装飾体を配置する分岐枠が突設された請求項４に記載の装身具用の装飾体保持具である。
【００１２】
請求項６に記載の発明は、前記分岐枠には、該分岐枠を身体の一部およびまたは衣服の一部に補助的に掛止する掛止補助部材が取り付けられた請求項５に記載の装身具用の装飾体保持具である。
【００１３】
【作用】
請求項１の発明または請求項４の発明によれば、弾性を有する首枠を自己のばね力によって首に掛止するか、弾性または可撓性を有する首枠を首に巻き付けた後、首枠の両端部を連結部材によって着脱自在に連結する。このとき、首枠の少なくとも内周部に緩衝部材が配置されている。
そのため、使用中の首の締め付け感を緩和することができ、しかも、首枠が首周り部にフィットする。そのため、この緩衝部材が滑り止めとなり、首を動かしても首枠が位置ずれしにくい。さらには装飾体が首枠に着脱自在であるので、好みに応じて別の装飾体に交換することができる。
【００１４】
特に、請求項２および請求項５の発明によれば、首枠に突設された分岐枠に装飾体を取り付ける。これにより、首の周辺から離れた位置に装飾体を配置することができる。
【００１５】
さらに、請求項３および請求項６の発明によれば、掛止補助部材を介して、分岐枠を身体の一部およびまたは衣服の一部に補助的に掛止するので、分岐枠のぐらつきを防止することができる。これにより、例えば大きくて重い装飾体でも、安定して首に装着することができる。
【００１６】
【発明の実施の形態】
以下、図面を参照し、この発明の実施例を説明する。まず、図１および図２を参照して第１の実施例を説明する。
図１および図２において１０は、この発明の第１の実施例の装身具用の装飾体保持具（以下、装飾体保持具）で、この装飾体保持具１０は、使用者の首１１に掛止され、装飾体１２が着脱自在に取り付けられる首枠１３を備えている。
首枠１３は、発泡性合成樹脂または金属製の周方向の一部に切欠部が形成された環状の板ばねである。首枠１３の裏面の全域には、ゴムまたは発泡合成樹脂製の緩衝部材１４が貼着されている。装飾体１２は金属製のチェーンで、首枠１３の両端部に一対の小リング１３ａ，１３ａを介して着脱自在に連結されている。
【００１７】
第１の実施例の装飾体保持具１０の使用時には、まず一方の小リング１３ａから装飾体１２の一端部を外す。続いて、首１１の後ろで首枠１３の両端部を両手で握り、首枠１３のばね力に抗してその両端部を外方に引っ張って切欠部を広げる。その後、広げた首枠１３をそのまま前方に移動し、首枠１３を首１１に装着する。すなわち、首枠１３から両手を離すと、首枠１３が自己のばね力によって、使用者の首１１を挟持するように掛止される。それから、外されていた装飾体１２の一端部を小リング１３ａに再び掛止する。こうして、金属製のチェーンからなる装飾体１２が、使用者の首１１から胸元にかけて飾られる。
別の装飾体に交換する際には、小リング１３ａ，１３ａから装飾体１２を外し、別の装飾体を小リング１３ａ，１３ａに掛止する。これにより、好みに応じて別の装飾体に交換することができる。
このように、首枠１３が自己のばね力により首１１に掛止されるので、大きさや重さに規制されない好みの装飾体１２を、首１１に装着することができる。しかも、首枠１３の内周部には緩衝部材１４が貼着されている。そのため、使用中の首１１の締め付け感が緩和されるとともに、首１１に首枠１３がフィットして緩衝部材１４が滑り止めとなり、首１１を動かしても首枠１３がずれ落ちにくくなる。
【００１８】
次に、図３〜図５を参照し、この発明の第２の実施例を説明する。
第２の実施例の装飾体保持具２０の特徴は、首枠１３Ａの裏面の全域に厚地の布製の緩衝部材１４が着脱自在に貼着され、緩衝部材１４の上縁から周方向に向かって所定ピッチで多数本の装飾紐１２ａ…が放射状に一体配設された点である。これらの装飾紐１２ａ…をまとめたものが装飾体１２Ａとなる。
装飾体保持具２０の使用時には、首１１の前で首枠１３Ａの両端部を両手で握り、それから首枠１３Ａの両端部を外方に引いて開口部を広げる。その後、この広げたままの状態を維持し、そのまま首枠１３Ａを後方に移動して両手を離すことで首枠１３Ａを首１１に装着する。
別の装飾体への交換時には、緩衝部材１４ごと装飾体１２Ａを首枠１３Ａの裏面から剥がし、新しい装飾体と一体となった緩衝部材１４を着脱自在に貼着する。　その他の構造、作用、効果は第１の実施例より推測可能な範囲であるので、説明を省略する。
【００１９】
図６および図７には、この発明の第３の実施例を示す。
第３の実施例の装飾体保持具３０では、首１１に両端部が螺旋状に重なった首枠１３Ｂを巻き付ける。首枠１３Ｂの裏面には、緩衝部材１４が貼着されている。首枠１３Ｂの一部には、顎下の凹みまで延びる細いピアノ線製の分岐枠１３ｃの元部が、フック１３ｂを介して掛止されている。分岐枠１３ｃの先端には、顎下の凹みに当てがわれる小玉３１が着脱自在に取り付けられている。小玉３１は、その外周面をずれ止め用のゴムで覆ってもよい。また、小玉３１には、下端に飾り玉が固着された短尺な金属紐である装飾体１２Ｂが吊下されている。
第３の実施例によれば、顎下という新しい装飾位置に、違和感が少なく、装飾体１２Ｂを配置することができる。
その他の構造、作用、効果は第１の実施例より推測可能な範囲であるので、説明を省略する。
【００２０】
図８および図９は、この発明の第４の実施例を示す。
第４の実施例の装飾体保持具４０の特徴は、ピアノ線を略Ｕ字形状に屈曲して首枠１３Ｃを作製し、首枠１３Ｃの屈曲部だけを短尺な緩衝部材１４により被う。首枠１３Ｃの両端部は上方に湾曲され、各先端にはずれ止め用のゴム４１ａ，４１ａで被われた小玉４１，４１が着脱自在に取り付けられている。これらの小玉４１，４１の外周面に、装飾紐である装飾体１２Ｃ，１２Ｃの一端部が一本ずつ固着されている。
装飾体保持具４０の使用時には、ばね力に抗して首枠１３Ｃの両端部を広げ、前方から首１１に首枠１３Ｃを掛止する。具体的には、首枠１３Ｃのばね力により、緩衝部材１４を下顎と喉仏との間に圧接するとともに、小玉４１，４１を両耳の耳たぶの付け根の凹みに圧接する。
その他の構造、作用、効果は第１の実施例より推測可能な範囲であるので、説明を省略する。
【００２１】
図１０〜図１２には、この発明の第５の実施例を示す。
第５の実施例の装飾体保持具５０では、首１１に前方向から掛止され、周方向の一部に切欠部が形成されたリング形状の首枠１３Ｄを有し、この首枠１３Ｄの両端部を延長して両側の耳の裏まで達する分岐枠１３ｃ，１３ｃが一体形成されている。両分岐枠１３ｃ，１３ｃの先端部には、耳たぶの付け根の裏に存在する凹みに当てがわれる小玉４１，４１がそれぞれ固着されている。首枠１３Ｄは、全長にわたって緩衝部材１４により被われ、両小玉４１，４１はゴム製のずれ止め４１ａ，４１ａによって被われている。また、両小玉４１，４１には、なだらかに円弧を描く１対の装飾紐である装飾体１２Ｄ，１２Ｄがそれぞれ着脱自在に垂れ下がっている。しかも、装飾体１２Ｄ，１２Ｄの耳たぶからの位置ずれを確実に防げるように、小玉４１，４１に加えて、耳たぶをばね力で挟持する小型のクリップ５１，５１を使用している。
このように、首枠１３Ｄに突設された分岐枠１３ｃに装飾体１２Ｄを取り付ける。これにより、首１１の周辺から離れた位置に装飾体１２Ｄを配置することができる。
その他の構造、作用、効果は第１の実施例より推測可能な範囲であるので、説明を省略する。
【００２２】
図１３および図１４には、この発明の第６の実施例を示す。
第６の実施例の装飾体保持具６０では、首１１に巻き付けられる螺旋形状の首枠１３Ｅを有し、この首枠１３Ｅの一端部を延長して一方の耳の裏まで達する分岐枠１３ｃが一体形成されている。首枠１３Ｅは、緩衝部材１４により被われている。分岐枠１３ｃの先端部には、耳たぶの付け根の裏に存在する凹みに当てがわれる小玉４１が固着されている。小玉４１は、ゴム製のずれ止め４１ａ，４１ａにより被われている。この小玉４１には耳掛けフック６１と、顎の一方の側縁に沿って顎先まで延びた別の分岐枠１３ｄの元部が固着されている。分岐枠１３ｄの先端には、分岐枠１３ｄのばね力により顎下の凹みに圧接される別の小玉４１が固着されている。別の小玉４１には、下端に飾り玉が固着された短尺な金属紐である装飾体１２Ｅが着脱自在に吊り下げられている。
その他の構造、作用、効果は第１の実施例より推測可能な範囲であるので、説明を省略する。
【００２３】
図１５および図１６には、この発明の第７の実施例を示す。
第７の実施例の装飾体保持具７０では、首１１に緩衝部材１４により被われた螺旋状の首枠１３Ｆを巻き付け、首枠１３Ｆの上端部を延長して一方の耳まで達する分岐枠１３ｃが一体形成されている。分岐枠１３ｃの先端部には、短尺な連結キャップ７１を介して、片耳に被せられた装飾体１２Ｆの線状の連結部が着脱自在に連結されている。装飾体１２Ｆは、ピアノ線を椀型のような立体的な渦巻き形状に湾曲させたベース体７２と、このベース体７２を外方から被う伸縮自在なネット７３とを有している。連結キャップ７１は、ベース体７２の外側の端部に固着されている。
使用時には、首枠１３Ｆを伸ばしてから首１１に巻き付け、片方の耳に装飾体１２Ｆを被せる。そして、連結キャップ７１を介して、ベース体７２と分岐枠１３ｃとを連結する。
このように、分岐枠１３ｃを介して、耳を被う大きな装飾体１２Ｆであってもしっかりと耳に固定することができる。
その他の構造、作用、効果は第１の実施例より推測可能な範囲であるので、説明を省略する。
【００２４】
図１７および図１８には、この発明の第８の実施例を示す。
第８の実施例の装飾体保持具８０では、Ｕ字形状に湾曲する１枚の薄い板ばねからなる首枠１３Ｇを有し、首枠１３Ｇの内周面には、首の締め付け感を和らげる発泡性合成樹脂製の緩衝部材１４が固着されている。首枠１３Ｇの両端部は外方に屈曲され、連結ボール８１の図示しない小穴に着脱自在となっている。連結ボール８１には、下端に飾り玉が固着された金属チェーンである装飾体１２Ｇが着脱自在に吊下されている。首枠１３Ｇは、板ばねに代えて可撓性の部材でもよい。
使用時には、Ｕ字形状を有する首枠１３Ｇを後方から首１１に外挿し、首枠１３Ｇがリング形状になるように首枠１３Ｇの両端部を引き寄せる。その後、両屈曲部１３ｇ，１３ｇを重ね合わせ、これらを連結ボール８１により連結する。
その他の構造、作用、効果は第１の実施例より推測可能な範囲であるので、説明を省略する。
【００２５】
図１９には、この発明の第９の実施例を示す。
第９の実施例の装飾体保持具９０では、Ｕ字形状に湾曲する１本のピアノ線からなる首枠１３Ｈを有し、首枠１３Ｈの内周面には発泡性合成樹脂製の緩衝部材１４が固着されている。首枠１３Ｈの両端部は外方に屈曲され、連結ボール８１の図示しない小穴に着脱自在となっている。連結ボール８１の上部には、先端が顎先まで延びた分岐枠１３ｃの元部が固着されている。分岐枠１３ｃの先端には、顎先の下に圧接される小玉４１が固着されている。小玉４１の下部には、下端に飾り玉が固着された短尺な金属紐である装飾体１２Ｈが着脱自在に吊下されている。
その他の構造、作用、効果は第１の実施例より推測可能な範囲であるので、説明を省略する。
【００２６】
図２０および図２１には、この発明の第１０の実施例を示す。
第１０の実施例の装飾体保持具１００は、周方向の一部分に切欠部が形成され、内周面に緩衝部材１４が貼着された略リング形状の板ばねからなる１枚の首枠１３Ｉを有している。首枠１３Ｉの両端部には折り返されたフック部１３ｉ，１３ｉがそれぞれ一体形成されている。両フック部１３ｉ，１３ｉは、硬質合成樹脂または金属製の楕円環形状を有する連結部材１０１により連結自在となっている。連結部材１０１には、短尺な装飾紐１２Ｉの元部が着脱自在に連結されている。
装飾体保持具１００の使用時には、両フック部１３ｉ，１３ｉを握って首枠１３Ｉを広げ、この状態を保持して首枠１３Ｉを首１１に装着する。その後、両フック部１３ｉ，１３ｉに連結部材１０１を掛止する。
その他の構造、作用、効果は第１の実施例より推測可能な範囲であるので、説明を省略する。
【００２７】
図２２には、この発明の第１１の実施例を示す。
第１１の実施例の装飾体保持具１１０は、外周面が緩衝部材１４により被われたピアノ線からなる首枠１３Ｊを有している。首枠１３Ｊの両端部は重ね合わされている。この重なり部分に、連結部材１１１が着脱自在に外嵌されている。連結部材１１１は、硬質合成樹脂または金属製で、その内面に首枠１３Ｊの重なり部分に嵌合可能な嵌合凹部が形成されている。連結部材１１１の外面には、装飾紐１２Ｊの元部が着脱自在に連結されている。
その他の構造、作用、効果は第１の実施例より推測可能な範囲であるので、説明を省略する。
【００２８】
図２３には、この発明の第１２の実施例を示す。
第１２の実施例の装飾体保持具１２０では、首１１に螺旋状の首枠１３Ｋを巻き付け、首枠１３Ｋの下端部は一方の肩に向かって延びる分岐枠１３ｃが連結されている。首枠１３Ｋの内周面には、緩衝部材１４が貼着されている。分岐枠１３ｃの先端部には、肩上に配置される立体アートである装飾体１２Ｋが一体形成されている。また、分岐枠１３ｃの先端には小さなフック部１３ｋが形成されている。このフック部１３ｋには、一方の肩に通されたリング形状を有する掛止補助部材１３ｅの上端部が掛止されている。このように、掛止補助部材１３ｅを介して、分岐枠１３ｃを使用者の肩に補助的に掛止するので、分岐枠のぐらつきを防止することができる。その結果、立体アートのような大きくて重い装飾体１２Ｋでも、安定して首１１に装着することができる。
その他の構造、作用、効果は第１の実施例より推測可能な範囲であるので、説明を省略する。
【００２９】
図２４には、この発明の第１３の実施例を示す。
第１３の実施例の装飾体保持具１３０では、首１１に、螺旋状に巻き付けられる首枠１３Ｌを有し、首枠１３Ｌの上端部を延長して分岐枠１３ｃを一体形成している。分岐枠１３ｃの先端部には、小鳥の模型である装飾体１２Ｌが固定されている。分岐枠１３ｃの先端には小さなフック部が形成されている。このフック部には、大径なリング形状の掛止補助部材１３ｅの上端部が掛止されている。首枠１３Ｌの元部には、ゴム製の滑り止めが固着されている。
使用時には、首枠１３Ｌを伸ばしてから、これを首１１に巻き付ける。その後、フック部に一方の肩に通された掛止補助部材１３ｅを掛止し、装飾体１２Ｌを肩の上方に固定する。
その他の構造、作用、効果は第１の実施例より推測可能な範囲であるので、説明を省略する。
【００３０】
図２５および図２６には、この発明の第１４の実施例を示す。
第１４の実施例の装飾体保持具１４０では、周方向の一部分に切欠部が形成され、内周面に緩衝部材１４が貼着された略リング形状の板ばねからなる１枚の首枠１３Ｍを有している。首枠１３Ｍの両端部には折り返されたフック部１３ｉ，１３ｉがそれぞれ一体形成されている。両フック部１３ｉ，１３ｉは、前記連結部材１０１により連結自在となっている。一方のフック部１３ｉの先端には、なだらかなに湾曲した分岐枠１３ｃが連結されている。分岐枠１３ｃの先端部には、小型の提灯である装飾体１２Ｍが固定されている。装飾体１２Ｍの下端部には図示しない小さなフック部が形成されている。フック部には、肩に通された掛止補助部材１３ｅの上端部が掛止されている。
その他の構造、作用、効果は第１の実施例より推測可能な範囲であるので、説明を省略する。
【００３１】
【発明の効果】
請求項１の発明または請求項４の発明によれば、弾性を有する首枠が自己のばね力によって首に掛止されるか、弾性または可撓性を有する首枠を首に巻き付けた後、首枠の両端部を連結部材によって着脱自在に連結し、首枠の少なくとも内周部に緩衝部材を設けたので、使用中の首の締め付け感を緩和することができ、しかも、首枠が位置ずれしにくく、さらには好みに応じて別の装飾体に交換することができる。
【００３２】
特に、請求項２および請求項５の発明によれば、首枠に突設された分岐枠に装飾体を取り付けるので、首の周辺から離れた位置に装飾体を配置することができる。
【００３３】
さらに、請求項３および請求項６の発明によれば、分岐枠を身体の一部およびまたは衣服の一部に補助的に掛止するので、掛止補助部材により分岐枠のぐらつきを防止することができる。これにより、例えば大きくて重い装飾体でも、安定して首に装着することができる。
【図面の簡単な説明】
【図１】この発明の第１の実施例に係る装身具用の装飾体保持具の使用状態を示す正面図である。
【図２】この発明の第１の実施例に係る装身具用の装飾体保持具の平面図である。
【図３】この発明の第２の実施例に係る装身具用の装飾体保持具の使用状態を示す正面図である。
【図４】この発明の第２の実施例に係る装身具用の装飾体保持具の平面図である。
【図５】この発明の第２の実施例に係る装身具用の装飾体保持具の要部拡大断面図である。
【図６】この発明の第３の実施例に係る装身具用の装飾体保持具の使用状態を示す側面図である。
【図７】（ａ）は、この発明の第３の実施例に係る装身具用の装飾体保持具の平面図である。
（ｂ）は、図７（ａ）の要部拡大断面図である。
【図８】この発明の第４の実施例に係る装身具用の装飾体保持具の使用状態を示す側面図である。
【図９】（ａ）は、この発明の第４の実施例に係る装身具用の装飾体保持具の斜視図である。
（ｂ）は、図９（ａ）の一部断面図を含む要部拡大図である。
【図１０】この発明の第５の実施例に係る装身具用の装飾体保持具の使用状態を示す側面図である。
【図１１】（ａ）は、この発明の第５の実施例に係る装身具用の装飾体保持具の斜視図である。
（ｂ）は、図１１（ａ）の要部拡大断面図である。
【図１２】（ａ）は、この発明の第５の実施例に係る装身具用の装飾体保持具の使用状態における要部拡大正面図である。
（ｂ）は、この発明の第５の実施例に係る装身具用の装飾体保持具の使用状態における要部拡大断面図である。
【図１３】（ａ）は、この発明の第６の実施例に係る装身具用の装飾体保持具の使用状態を示す側面図である。
（ｂ）は、この発明の第６の実施例に係る装飾体保持具の装飾体の取り付け構造を示す要部拡大断面図である。
【図１４】この発明の第６の実施例に係る装身具用の装飾体保持具の要部拡大断面図である。
【図１５】（ａ）は、この発明の第７の実施例に係る装身具用の装飾体保持具の使用状態を示す側面図である。
（ｂ）は、この発明の第７の実施例に係る装身具用の装飾体保持具の一部破断図を含む要部拡大正面図である。
（ｃ）は、図１５（ａ）の要部拡大断面図である。
【図１６】（ａ）は、この発明の第７の実施例に係る装身具用の装飾体保持具の使用状態を示す一部断面図を含む背面図である。
（ｂ）は、この発明の第７の実施例に係る装飾体保持具の装飾体の要部拡大断面図である、
【図１７】この発明の第８の実施例に係る装身具用の装飾体保持具の使用状態を示す正面図である。
【図１８】この発明の第８の実施例に係る装身具用の装飾体保持具の使用方法を示す平面図である。
【図１９】（ａ）は、この発明の第９の実施例に係る装身具用の装飾体保持具の使用状態を示す側面図である。
（ｂ）は、この発明の第９の実施例に係る装身具用の装飾体保持具の平面図である。
【図２０】この発明の第１０の実施例に係る装身具用の装飾体保持具の使用状態を示す側面図である。
【図２１】この発明の第１０の実施例に係る装身具用の装飾体保持具の平面図である。
【図２２】（ａ）は、この発明の第１１の実施例に係る装身具用の装飾体保持具の使用状態を示す側面図である。
（ｂ）は、この発明の第１１の実施例に係る装身具用の装飾体保持具の要部拡大断面図である。
【図２３】（ａ）は、この発明の第１２の実施例に係る装身具用の装飾体保持具の使用状態を示す正面図である。
（ｂ）は、この発明の第１２の実施例に係る装身具用の装飾体保持具により保持される装飾体の側面図である。
【図２４】この発明の第１３の実施例に係る装身具用の装飾体保持具の使用状態を示す正面図である。
【図２５】この発明の第１４の実施例に係る装身具用の装飾体保持具の使用状態を示す正面図である。
【図２６】この発明の第１４の実施例に係る装身具用の装飾体保持具の平面図である。
【符号の説明】
１０，２０，３０，４０，５０，６０，７０　装身具用の装飾体保持具、
８０，９０，１００，１１０，１２０　装身具用の装飾体保持具、
１３０，１４０　装身具用の装飾体保持具、
１１　首、
１２，１２Ａ〜１２Ｍ　装飾体、
１３，１３Ａ〜１３Ｍ　首枠、
１４　緩衝部材、
１３ｃ　分岐枠、
１３ｅ　掛止補助部材、
１０１，１１１　連結部材。
【図１】
2004129728.tif 000003
【図２】
2004129728.tif 000004
【図３】
2004129728.tif 000005
【図４】
2004129728.tif 000006
【図５】
2004129728.tif 000007
【図６】
2004129728.tif 000008
【図７】
2004129728.tif 000009
【図８】
2004129728.tif 000010
【図９】
2004129728.tif 000011
【図１０】
2004129728.tif 000012
【図１１】
2004129728.tif 000013
【図１２】
2004129728.tif 000014
【図１３】
2004129728.tif 000015
【図１４】
2004129728.tif 000016
【図１５】
2004129728.tif 000017
【図１６】
2004129728.tif 000018
【図１７】
2004129728.tif 000019
【図１８】
2004129728.tif 000020
【図１９】
2004129728.tif 000021
【図２０】
2004129728.tif 000022
【図２１】
2004129728.tif 000023
【図２２】
2004129728.tif 000024
【図２３】
2004129728.tif 000025
【図２４】
2004129728.tif 000026
【図２５】
2004129728.tif 000027
【図２６】
2004129728.tif 000028
【手続補正書】
【提出日】平成15年3月27日(2003.3.27)
【手続補正１】
【補正対象書類名】明細書
【補正対象項目名】全文
【補正方法】変更
【補正の内容】
【特許請求の範囲】
【請求項１】首に掛止され、装飾体が着脱自在に取り付けられる首枠を備えた装身具用の装飾体保持具であって、
上記首枠は弾性を有し、少なくとも内周部に緩衝部材が設けられるとともに、この首枠には、上記首の周辺から離れた位置に装飾体を配置する、ピアノ線などの所定の剛性を有する金属製の分岐枠が突設された装身具用の装飾体保持具。
【請求項２】上記分岐枠には、この分岐枠を身体の一部およびまたは衣服の一部に補助的に掛止する掛止補助部材が取り付けられた請求項１に記載の装身具用の装飾体保持具。
【請求項３】首に掛止され、装飾体が着脱自在に取り付けられる首枠を備えた装身具用の装飾体保持具であって、
上記首枠は弾性または可撓性を有し、少なくとも内周部に緩衝部材が設けられ、
上記首枠の両端部を連結部材により着脱自在に連結することで、首に巻き付け状態で掛止されるとともに、
上記首枠には、上記首の周辺から離れた位置に装飾体を配置する、ピアノ線などの所定の剛性を有する金属製の分岐枠が突設された装身具用の装飾体保持具。
【請求項４】上記分岐枠には、この分岐枠を身体の一部およびまたは衣服の一部に補助的に掛止する掛止補助部材が取り付けられた請求項３に記載の装身具用の装飾体保持具。
【発明の詳細な説明】
【０００１】
【発明の属する技術分野】
この発明は装身具用の装飾体保持具、詳しくは使用者の首に装飾体を装着する装身具用の装飾体保持具に関する。
【０００２】
【従来の技術】
首に装着される装身具用の装飾体保持具として、例えば登録実用新案第３０３２５０６号公報の「首飾り」が知られている。
この首飾りは、弾性を有する芯材と、芯材に固着された装飾体（例えば数珠つなぎのビー玉）とを備え、弾性変形することで使用者の首に係止するように構成されている。
【０００３】
【発明が解決しようとする課題】
しかしながら、この従来の首飾りにあっては、以下に示す問題点があった。
すなわち、芯材が首に直接係止されるか、ビー玉のような剛体の装飾体を介して首に係止されていた。そのため、使用中は首の締め付け感が大きかった。そこで、芯材の弾性力を弱めることが考えられる。ところが、これでは首を動かしたり汗をかいた場合に、首飾りがずれ落ちやすかった。
また、装飾体は芯材に固着されていた。そのため、既製の装飾体ではない装飾体、例えばオリジナルな装飾体により首を装飾することはできなかった。
【０００４】
そこで、発明者は、鋭意研究の結果、首に掛止され、装飾体が着脱自在に取り付けられる首枠を備え、この首枠を弾性部材により形成し、その少なくとも内周部に緩衝部材を設けるようにするか、首枠を弾性部材または可撓性部材により形成し、少なくとも内周部に緩衝部材を設けるとともに、首枠の両端部を連結部材により着脱自在に連結するようにすれば、大きさや重さに規制されない好みの装飾体を、使用中にずれ落ちることなく首に装着することができることを知見し、この発明を完成させた。
【０００５】
【発明の目的】
この発明は、使用中の首の締め付け感を緩和することができ、しかも、首枠が位置ずれしにくく、さらには好みに応じて別の装飾体に交換することができる装身具用の装飾体保持具を提供することを、その目的としている。
また、この発明は、首の周辺から離れた位置に装飾体を配置することができる装身具用の装飾体保持具を提供することを、その目的としている。
さらに、この発明は、大型の装飾体であっても、首の周辺から離れた位置にしっかりと固定することができる装身具用の装飾体保持具を提供することを、その目的としている。
【０００６】
【課題を解決するための手段】
請求項１に記載の発明は、首に掛止され、装飾体が着脱自在に取り付けられる首枠を備えた装身具用の装飾体保持具であって、上記首枠は弾性を有し、少なくとも内周部に緩衝部材が設けられるとともに、この首枠には、上記首の周辺から離れた位置に装飾体を配置する、ピアノ線などの所定の剛性を有する金属製の分岐枠が突設された装身具用の装飾体保持具である。
装飾体の素材、形状、大きさなどは限定されない。例えば、チェーン，装飾紐，耳カバー，小鳥の模型，美術品，工芸品，ちょうちんなどを採用することができる。
【０００７】
装飾体は、首枠から分岐された分岐枠により間接的に取り付ける。
また、装飾体は、使用者の前方に向けてもよいし、後方に向けてもよい。さらには、使用者の上方または下方に向けてもよい。その他、装飾体を、使用者の側方に向けてもよい。
装飾体の首枠に対する掛止構造は限定されない。例えば、雄掛止部と雌掛止部とを有する掛止構造でもよい。
首枠にばね力を付与する方法としては、例えば首枠自体をばね材で設ける方法、首枠にばね材を取り付ける方法などを採用することができる。ばね材としては、例えばコイルばね，線状のばねなどの一般的なばね材が挙げられる。その他、ゴムや弾性を有する各種の軟質合成樹脂などでもよい。要は、そのばね力により掛止できればよい。
緩衝部材の種類は限定されない。例えば、ゴム、各種の軟質合成樹脂（軟質ピリプロピレン，軟質ポリエチレンなど）を採用することができる。軟質合成樹脂には、発泡質の合成樹脂を含む。
緩衝部材は、例えば首枠の内周部だけに設けてもよい。その他、首枠の全体に設けてもよい。
【０００８】
分岐枠は、首枠と一体的に形成してもよい。または別体で形成してもよい。分岐枠の素材は限定されない。首枠と同じ素材（例えば合成樹脂，金属）でも別の素材でもよい。分岐枠の長さ、太さなどは限定されない。
【０００９】
請求項２に記載の発明は、上記分岐枠には、この分岐枠を身体の一部およびまたは衣服の一部に補助的に掛止する掛止補助部材が取り付けられた請求項１に記載の装身具用の装飾体保持具である。
掛止補助部材は身体の一部に掛止してもよい。または衣服の一部に掛止してもよい。さらには、身体の一部と衣服の一部とにそれぞれ掛止してもよい。
身体の一部としては、例えば肩、腕、頭、耳、首、胸、背中などが挙げられる。
衣服の一部としては、例えば上着の身ごろなどが挙げられる。
掛止補助部材の素材、形状、大きさなどは限定されない。
掛止補助部材は、装飾体と一体的に形成してもよい。または別体で形成してもよい。掛止補助部材は、この分岐枠を介して首枠に連結される。
【００１０】
請求項３に記載の発明は、首に掛止され、装飾体が着脱自在に取り付けられる首枠を備えた装身具用の装飾体保持具であって、上記首枠は弾性または可撓性を有し、少なくとも内周部に緩衝部材が設けられ、上記首枠の両端部を連結部材により着脱自在に連結することで、首に巻き付け状態で掛止されるとともに、上記首枠には、上記首の周辺から離れた位置に装飾体を配置する、ピアノ線などの所定の剛性を有する金属製の分岐枠が突設された装身具用の装飾体保持具である。ここでいう首枠としては、例えばばね力により首に掛止される弾性部材からなるものを採用することができる。その他、可撓性を有する部材からなるものでもよい。
連結部材の素材、形状、大きさなどは限定されない。例えば、各種の合成樹脂製の連結ボール，任意形状を有する合成樹脂製の連結ブロックなどを採用することができる。また、弾性体でもよい。
【００１１】
請求項４に記載の発明は、上記分岐枠には、この分岐枠を身体の一部およびまたは衣服の一部に補助的に掛止する掛止補助部材が取り付けられた請求項３に記載の装身具用の装飾体保持具である。
【００１２】
【作用】
請求項１〜請求項４の発明によれば、弾性を有する首枠を自己のばね力によって首に掛止するか、弾性または可撓性を有する首枠を首に巻き付けた後、首枠の両端部を連結部材によって着脱自在に連結する。このとき、首枠の少なくとも内周部に緩衝部材が配置されている。
そのため、使用中の首の締め付け感を緩和することができ、しかも、首枠が首周り部にフィットする。そのため、この緩衝部材が滑り止めとなり、首を動かしても首枠が位置ずれしにくい。さらには装飾体が首枠に着脱自在であるので、好みに応じて別の装飾体に交換することができる。
【００１３】
特に、請求項１および請求項３の発明によれば、首枠に突設された分岐枠に装飾体を取り付ける。これにより、首の周辺から離れた位置に装飾体を配置することができる。
【００１４】
さらに、請求項２および請求項４の発明によれば、掛止補助部材を介して、分岐枠を身体の一部およびまたは衣服の一部に補助的に掛止するので、分岐枠のぐらつきを防止することができる。これにより、例えば大きくて重い装飾体でも、安定して首に装着することができる。
【００１５】
【発明の実施の形態】
以下、図面を参照し、この発明の実施例を説明する。まず、図１および図２を参照して第１の実施例を説明する。
図１および図２において１０は、この発明の第１の実施例の装身具用の装飾体保持具（以下、装飾体保持具）で、この装飾体保持具１０は、使用者の首１１に掛止され、装飾体１２が着脱自在に取り付けられる首枠１３を備えている。
首枠１３は、発泡性合成樹脂または金属製の周方向の一部に切欠部が形成された環状の板ばねである。首枠１３の裏面の全域には、ゴムまたは発泡合成樹脂製の緩衝部材１４が貼着されている。装飾体１２は金属製のチェーンで、首枠１３の両端部に一対の小リング１３ａ，１３ａを介して着脱自在に連結されている。
【００１６】
第１の実施例の装飾体保持具１０の使用時には、まず一方の小リング１３ａから装飾体１２の一端部を外す。続いて、首１１の後ろで首枠１３の両端部を両手で握り、首枠１３のばね力に抗してその両端部を外方に引っ張って切欠部を広げる。その後、広げた首枠１３をそのまま前方に移動し、首枠１３を首１１に装着する。すなわち、首枠１３から両手を離すと、首枠１３が自己のばね力によって、使用者の首１１を挟持するように掛止される。それから、外されていた装飾体１２の一端部を小リング１３ａに再び掛止する。こうして、金属製のチェーンからなる装飾体１２が、使用者の首１１から胸元にかけて飾られる。
別の装飾体に交換する際には、小リング１３ａ，１３ａから装飾体１２を外し、別の装飾体を小リング１３ａ，１３ａに掛止する。これにより、好みに応じて別の装飾体に交換することができる。
このように、首枠１３が自己のばね力により首１１に掛止されるので、大きさや重さに規制されない好みの装飾体１２を、首１１に装着することができる。しかも、首枠１３の内周部には緩衝部材１４が貼着されている。そのため、使用中の首１１の締め付け感が緩和されるとともに、首１１に首枠１３がフィットして緩衝部材１４が滑り止めとなり、首１１を動かしても首枠１３がずれ落ちにくくなる。
【００１７】
次に、図３〜図５を参照し、この発明の第２の実施例を説明する。
第２の実施例の装飾体保持具２０の特徴は、首枠１３Ａの裏面の全域に厚地の布製の緩衝部材１４が着脱自在に貼着され、緩衝部材１４の上縁から周方向に向かって所定ピッチで多数本の装飾紐１２ａ…が放射状に一体配設された点である。これらの装飾紐１２ａ…をまとめたものが装飾体１２Ａとなる。
装飾体保持具２０の使用時には、首１１の前で首枠１３Ａの両端部を両手で握り、それから首枠１３Ａの両端部を外方に引いて開口部を広げる。その後、この広げたままの状態を維持し、そのまま首枠１３Ａを後方に移動して両手を離すことで首枠１３Ａを首１１に装着する。
別の装飾体への交換時には、緩衝部材１４ごと装飾体１２Ａを首枠１３Ａの裏面から剥がし、新しい装飾体と一体となった緩衝部材１４を着脱自在に貼着する。
その他の構造、作用、効果は第１の実施例より推測可能な範囲であるので、説明を省略する。
【００１８】
図６および図７には、この発明の第３の実施例を示す。
第３の実施例の装飾体保持具３０では、首１１に両端部が螺旋状に重なった首枠１３Ｂを巻き付ける。首枠１３Ｂの裏面には、緩衝部材１４が貼着されている。首枠１３Ｂの一部には、顎下の凹みまで延びる細いピアノ線製の分岐枠１３ｃの元部が、フック１３ｂを介して掛止されている。分岐枠１３ｃの先端には、顎下の凹みに当てがわれる小玉３１が着脱自在に取り付けられている。小玉３１は、その外周面をずれ止め用のゴムで覆ってもよい。また、小玉３１には、下端に飾り玉が固着された短尺な金属紐である装飾体１２Ｂが吊下されている。
第３の実施例によれば、顎下という新しい装飾位置に、違和感が少なく、装飾体１２Ｂを配置することができる。
その他の構造、作用、効果は第１の実施例より推測可能な範囲であるので、説明を省略する。
【００１９】
図８および図９は、この発明の第４の実施例を示す。
第４の実施例の装飾体保持具４０の特徴は、ピアノ線を略Ｕ字形状に屈曲して首枠１３Ｃを作製し、首枠１３Ｃの屈曲部だけを短尺な緩衝部材１４により被う。首枠１３Ｃの両端部は上方に湾曲され、各先端にはずれ止め用のゴム４１ａ，４１ａで被われた小玉４１，４１が着脱自在に取り付けられている。これらの小玉４１，４１の外周面に、装飾紐である装飾体１２Ｃ，１２Ｃの一端部が一本ずつ固着されている。
装飾体保持具４０の使用時には、ばね力に抗して首枠１３Ｃの両端部を広げ、前方から首１１に首枠１３Ｃを掛止する。具体的には、首枠１３Ｃのばね力により、緩衝部材１４を下顎と喉仏との間に圧接するとともに、小玉４１，４１を両耳の耳たぶの付け根の凹みに圧接する。
その他の構造、作用、効果は第１の実施例より推測可能な範囲であるので、説明を省略する。
【００２０】
図１０〜図１２には、この発明の第５の実施例を示す。
第５の実施例の装飾体保持具５０では、首１１に前方向から掛止され、周方向の一部に切欠部が形成されたリング形状の首枠１３Ｄを有し、この首枠１３Ｄの両端部を延長して両側の耳の裏まで達する分岐枠１３ｃ，１３ｃが一体形成されている。両分岐枠１３ｃ，１３ｃの先端部には、耳たぶの付け根の裏に存在する凹みに当てがわれる小玉４１，４１がそれぞれ固着されている。首枠１３Ｄは、全長にわたって緩衝部材１４により被われ、両小玉４１，４１はゴム製のずれ止め４１ａ，４１ａによって被われている。また、両小玉４１，４１には、なだらかに円弧を描く１対の装飾紐である装飾体１２Ｄ，１２Ｄがそれぞれ着脱自在に垂れ下がっている。しかも、装飾体１２Ｄ，１２Ｄの耳たぶからの位置ずれを確実に防げるように、小玉４１，４１に加えて、耳たぶをばね力で挟持する小型のクリップ５１，５１を使用している。
このように、首枠１３Ｄに突設された分岐枠１３ｃに装飾体１２Ｄを取り付ける。これにより、首１１の周辺から離れた位置に装飾体１２Ｄを配置することができる。
その他の構造、作用、効果は第１の実施例より推測可能な範囲であるので、説明を省略する。
【００２１】
図１３および図１４には、この発明の第６の実施例を示す。
第６の実施例の装飾体保持具６０では、首１１に巻き付けられる螺旋形状の首枠１３Ｅを有し、この首枠１３Ｅの一端部を延長して一方の耳の裏まで達する分岐枠１３ｃが一体形成されている。首枠１３Ｅは、緩衝部材１４により被われている。分岐枠１３ｃの先端部には、耳たぶの付け根の裏に存在する凹みに当てがわれる小玉４１が固着されている。小玉４１は、ゴム製のずれ止め４１ａ，４１ａにより被われている。この小玉４１には耳掛けフック６１と、顎の一方の側縁に沿って顎先まで延びた別の分岐枠１３ｄの元部が固着されている。分岐枠１３ｄの先端には、分岐枠１３ｄのばね力により顎下の凹みに圧接される別の小玉４１が固着されている。別の小玉４１には、下端に飾り玉が固着された短尺な金属紐である装飾体１２Ｅが着脱自在に吊り下げられている。
その他の構造、作用、効果は第１の実施例より推測可能な範囲であるので、説明を省略する。
【００２２】
図１５および図１６には、この発明の第７の実施例を示す。
第７の実施例の装飾体保持具７０では、首１１に緩衝部材１４により被われた螺旋状の首枠１３Ｆを巻き付け、首枠１３Ｆの上端部を延長して一方の耳まで達する分岐枠１３ｃが一体形成されている。分岐枠１３ｃの先端部には、短尺な連結キャップ７１を介して、片耳に被せられた装飾体１２Ｆの線状の連結部が着脱自在に連結されている。装飾体１２Ｆは、ピアノ線を椀型のような立体的な渦巻き形状に湾曲させたベース体７２と、このベース体７２を外方から被う伸縮自在なネット７３とを有している。連結キャップ７１は、ベース体７２の外側の端部に固着されている。
使用時には、首枠１３Ｆを伸ばしてから首１１に巻き付け、片方の耳に装飾体１２Ｆを被せる。そして、連結キャップ７１を介して、ベース体７２と分岐枠１３ｃとを連結する。
このように、分岐枠１３ｃを介して、耳を被う大きな装飾体１２Ｆであってもしっかりと耳に固定することができる。
その他の構造、作用、効果は第１の実施例より推測可能な範囲であるので、説明を省略する。
【００２３】
図１７および図１８には、この発明の第８の実施例を示す。
第８の実施例の装飾体保持具８０では、Ｕ字形状に湾曲する１枚の薄い板ばねからなる首枠１３Ｇを有し、首枠１３Ｇの内周面には、首の締め付け感を和らげる発泡性合成樹脂製の緩衝部材１４が固着されている。首枠１３Ｇの両端部は外方に屈曲され、連結ボール８１の図示しない小穴に着脱自在となっている。連結ボール８１には、下端に飾り玉が固着された金属チェーンである装飾体１２Ｇが着脱自在に吊下されている。首枠１３Ｇは、板ばねに代えて可撓性の部材でもよい。
使用時には、Ｕ字形状を有する首枠１３Ｇを後方から首１１に外挿し、首枠１３Ｇがリング形状になるように首枠１３Ｇの両端部を引き寄せる。その後、両屈曲部１３ｇ，１３ｇを重ね合わせ、これらを連結ボール８１により連結する。
その他の構造、作用、効果は第１の実施例より推測可能な範囲であるので、説明を省略する。
【００２４】
図１９には、この発明の第９の実施例を示す。
第９の実施例の装飾体保持具９０では、Ｕ字形状に湾曲する１本のピアノ線からなる首枠１３Ｈを有し、首枠１３Ｈの内周面には発泡性合成樹脂製の緩衝部材１４が固着されている。首枠１３Ｈの両端部は外方に屈曲され、連結ボール８１の図示しない小穴に着脱自在となっている。連結ボール８１の上部には、先端が顎先まで延びた分岐枠１３ｃの元部が固着されている。分岐枠１３ｃの先端には、顎先の下に圧接される小玉４１が固着されている。小玉４１の下部には、下端に飾り玉が固着された短尺な金属紐である装飾体１２Ｈが着脱自在に吊下されている。
その他の構造、作用、効果は第１の実施例より推測可能な範囲であるので、説明を省略する。
【００２５】
図２０および図２１には、この発明の第１０の実施例を示す。
第１０の実施例の装飾体保持具１００は、周方向の一部分に切欠部が形成され、内周面に緩衝部材１４が貼着された略リング形状の板ばねからなる１枚の首枠１３Ｉを有している。首枠１３Ｉの両端部には折り返されたフック部１３ｉ，１３ｉがそれぞれ一体形成されている。両フック部１３ｉ，１３ｉは、硬質合成樹脂または金属製の楕円環形状を有する連結部材１０１により連結自在となっている。連結部材１０１には、短尺な装飾紐１２Ｉの元部が着脱自在に連結されている。
装飾体保持具１００の使用時には、両フック部１３ｉ，１３ｉを握って首枠１３Ｉを広げ、この状態を保持して首枠１３Ｉを首１１に装着する。その後、両フック部１３ｉ，１３ｉに連結部材１０１を掛止する。
その他の構造、作用、効果は第１の実施例より推測可能な範囲であるので、説明を省略する。
【００２６】
図２２には、この発明の第１１の実施例を示す。
第１１の実施例の装飾体保持具１１０は、外周面が緩衝部材１４により被われたピアノ線からなる首枠１３Ｊを有している。首枠１３Ｊの両端部は重ね合わされている。この重なり部分に、連結部材１１１が着脱自在に外嵌されている。連結部材１１１は、硬質合成樹脂または金属製で、その内面に首枠１３Ｊの重なり部分に嵌合可能な嵌合凹部が形成されている。連結部材１１１の外面には、装飾紐１２Ｊの元部が着脱自在に連結されている。
その他の構造、作用、効果は第１の実施例より推測可能な範囲であるので、説明を省略する。
【００２７】
図２３には、この発明の第１２の実施例を示す。
第１２の実施例の装飾体保持具１２０では、首１１に螺旋状の首枠１３Ｋを巻き付け、首枠１３Ｋの下端部は一方の肩に向かって延びる分岐枠１３ｃが連結されている。首枠１３Ｋの内周面には、緩衝部材１４が貼着されている。分岐枠１３ｃの先端部には、肩上に配置される立体アートである装飾体１２Ｋが一体形成されている。また、分岐枠１３ｃの先端には小さなフック部１３ｋが形成されている。このフック部１３ｋには、一方の肩に通されたリング形状を有する掛止補助部材１３ｅの上端部が掛止されている。このように、掛止補助部材１３ｅを介して、分岐枠１３ｃを使用者の肩に補助的に掛止するので、分岐枠のぐらつきを防止することができる。その結果、立体アートのような大きくて重い装飾体１２Ｋでも、安定して首１１に装着することができる。
その他の構造、作用、効果は第１の実施例より推測可能な範囲であるので、説明を省略する。
【００２８】
図２４には、この発明の第１３の実施例を示す。
第１３の実施例の装飾体保持具１３０では、首１１に、螺旋状に巻き付けられる首枠１３Ｌを有し、首枠１３Ｌの上端部を延長して分岐枠１３ｃを一体形成している。分岐枠１３ｃの先端部には、小鳥の模型である装飾体１２Ｌが固定されている。分岐枠１３ｃの先端には小さなフック部が形成されている。このフック部には、大径なリング形状の掛止補助部材１３ｅの上端部が掛止されている。首枠１３Ｌの元部には、ゴム製の滑り止めが固着されている。
使用時には、首枠１３Ｌを伸ばしてから、これを首１１に巻き付ける。その後、フック部に一方の肩に通された掛止補助部材１３ｅを掛止し、装飾体１２Ｌを肩の上方に固定する。
その他の構造、作用、効果は第１の実施例より推測可能な範囲であるので、説明を省略する。
【００２９】
図２５および図２６には、この発明の第１４の実施例を示す。
第１４の実施例の装飾体保持具１４０では、周方向の一部分に切欠部が形成され、内周面に緩衝部材１４が貼着された略リング形状の板ばねからなる１枚の首枠１３Ｍを有している。首枠１３Ｍの両端部には折り返されたフック部１３ｉ，１３ｉがそれぞれ一体形成されている。両フック部１３ｉ，１３ｉは、上記連結部材１０１により連結自在となっている。一方のフック部１３ｉの先端には、なだらかなに湾曲した分岐枠１３ｃが連結されている。分岐枠１３ｃの先端部には、小型の提灯である装飾体１２Ｍが固定されている。装飾体１２Ｍの下端部には図示しない小さなフック部が形成されている。フック部には、肩に通された掛止補助部材１３ｅの上端部が掛止されている。
その他の構造、作用、効果は第１の実施例より推測可能な範囲であるので、説明を省略する。
【００３０】
【発明の効果】
請求項１〜請求項４の発明によれば、弾性を有する首枠が自己のばね力によって首に掛止されるか、弾性または可撓性を有する首枠を首に巻き付けた後、首枠の両端部を連結部材によって着脱自在に連結し、首枠の少なくとも内周部に緩衝部材を設けたので、使用中の首の締め付け感を緩和することができ、しかも、首枠が位置ずれしにくく、さらには好みに応じて別の装飾体に交換することができる。
特に、請求項１および請求項３の発明によれば、首枠に突設された分岐枠に装飾体を取り付けるので、首の周辺から離れた位置に装飾体を配置することができる。
さらに、請求項２および請求項４の発明によれば、分岐枠を身体の一部およびまたは衣服の一部に補助的に掛止するので、掛止補助部材により分岐枠のぐらつきを防止することができる。これにより、例えば大きくて重い装飾体でも、安定して首に装着することができる。
【図面の簡単な説明】
【図１】この発明の第１の実施例に係る装身具用の装飾体保持具の使用状態を示す正面図である。
【図２】この発明の第１の実施例に係る装身具用の装飾体保持具の平面図である。
【図３】この発明の第２の実施例に係る装身具用の装飾体保持具の使用状態を示す正面図である。
【図４】この発明の第２の実施例に係る装身具用の装飾体保持具の平面図である。
【図５】この発明の第２の実施例に係る装身具用の装飾体保持具の要部拡大断面図である。
【図６】この発明の第３の実施例に係る装身具用の装飾体保持具の使用状態を示す側面図である。
【図７】（ａ）は、この発明の第３の実施例に係る装身具用の装飾体保持具の平面図である。
（ｂ）は、図７（ａ）の要部拡大断面図である。
【図８】この発明の第４の実施例に係る装身具用の装飾体保持具の使用状態を示す側面図である。
【図９】（ａ）は、この発明の第４の実施例に係る装身具用の装飾体保持具の斜視図である。
（ｂ）は、図９（ａ）の一部断面図を含む要部拡大図である。
【図１０】この発明の第５の実施例に係る装身具用の装飾体保持具の使用状態を示す側面図である。
【図１１】（ａ）は、この発明の第５の実施例に係る装身具用の装飾体保持具の斜視図である。
（ｂ）は、図１１（ａ）の要部拡大断面図である。
【図１２】（ａ）は、この発明の第５の実施例に係る装身具用の装飾体保持具の使用状態における要部拡大正面図である。
（ｂ）は、この発明の第５の実施例に係る装身具用の装飾体保持具の使用状態における要部拡大断面図である。
【図１３】（ａ）は、この発明の第６の実施例に係る装身具用の装飾体保持具の使用状態を示す側面図である。
（ｂ）は、この発明の第６の実施例に係る装飾体保持具の装飾体の取り付け構造を示す要部拡大断面図である。
【図１４】この発明の第６の実施例に係る装身具用の装飾体保持具の要部拡大断面図である。
【図１５】（ａ）は、この発明の第７の実施例に係る装身具用の装飾体保持具の使用状態を示す側面図である。
（ｂ）は、この発明の第７の実施例に係る装身具用の装飾体保持具の一部破断図を含む要部拡大正面図である。
（ｃ）は、図１５（ａ）の要部拡大断面図である。
【図１６】（ａ）は、この発明の第７の実施例に係る装身具用の装飾体保持具の使用状態を示す一部断面図を含む背面図である。
（ｂ）は、この発明の第７の実施例に係る装飾体保持具の装飾体の要部拡大断面図である、
【図１７】この発明の第８の実施例に係る装身具用の装飾体保持具の使用状態を示す正面図である。
【図１８】この発明の第８の実施例に係る装身具用の装飾体保持具の使用方法を示す平面図である。
【図１９】（ａ）は、この発明の第９の実施例に係る装身具用の装飾体保持具の使用状態を示す側面図である。
（ｂ）は、この発明の第９の実施例に係る装身具用の装飾体保持具の平面図である。
【図２０】この発明の第１０の実施例に係る装身具用の装飾体保持具の使用状態を示す側面図である。
【図２１】この発明の第１０の実施例に係る装身具用の装飾体保持具の平面図である。
【図２２】（ａ）は、この発明の第１１の実施例に係る装身具用の装飾体保持具の使用状態を示す側面図である。
（ｂ）は、この発明の第１１の実施例に係る装身具用の装飾体保持具の要部拡大断面図である。
【図２３】（ａ）は、この発明の第１２の実施例に係る装身具用の装飾体保持具の使用状態を示す正面図である。
（ｂ）は、この発明の第１２の実施例に係る装身具用の装飾体保持具により保持される装飾体の側面図である。
【図２４】この発明の第１３の実施例に係る装身具用の装飾体保持具の使用状態を示す正面図である。
【図２５】この発明の第１４の実施例に係る装身具用の装飾体保持具の使用状態を示す正面図である。
【図２６】この発明の第１４の実施例に係る装身具用の装飾体保持具の平面図である。
【符号の説明】
１０，２０，３０，４０，５０，６０，７０　装身具用の装飾体保持具、
８０，９０，１００，１１０，１２０　装身具用の装飾体保持具、
１３０，１４０　装身具用の装飾体保持具、
１１　首、
１２，１２Ａ〜１２Ｍ　装飾体、
１３，１３Ａ〜１３Ｍ　首枠、
１４　緩衝部材、
１３ｃ　分岐枠、
１３ｅ　掛止補助部材、
１０１，１１１　連結部材。